(57)【特許請求の範囲】
【請求項１】
長尺に遠心力成形されたコンクリート成形部と、
コンクリート成形部内の軸方向に配設されたプレストレストコンクリート用の緊張材と、
コンクリート成形部の軸方向途中部の外周面に露出した状態でボックス状に埋込まれた構架材接続用の鋼管とを具備し、
この鋼管の内側に、上記緊張材により軸方向のプレストレスをかけた状態でコンクリート成形部が遠心力成形された
ことを特徴とするプレストレストコンクリート構造体。
【請求項２】
長尺に遠心力成形されたコンクリート成形部と、
コンクリート成形部内の軸方向に配設されたプレストレストコンクリート用の緊張材と、
コンクリート成形部の軸方向途中部の一側面およびこの一側面に対し反対側に位置する他側面に露出した状態で埋込まれた複数の構架材接続用の埋込みプレートと、
緊張材を避けてコンクリート成形部内に配設され一側面および他側面の埋込みプレートの左右一端部間および他端部間を連結する２つの連結プレートとを具備し、
これらの連結プレートは、上記緊張材に対して平行にかつ２つの連結プレート間が相互に平行に配置され、
これらの連結プレートには、遠心力成形時に２つの連結プレート間に注入されたコンクリートを連結プレート間の外側にも供給するための穴が穿設された
ことを特徴とするプレストレストコンクリート構造体。
【発明の詳細な説明】
【技術分野】
【０００１】
本発明は、構架材接続構造を有するプレストレストコンクリート構造体に関するものである。以下、プレストレストコンクリートを、「ＰＣ」と略称する。
【背景技術】
【０００２】
ＰＣ中空杭を柱列式に配置したＰＣ中空杭壁に構架材を接合した接合構造を形成することにより、ＰＣ中空杭壁を仮設の山留壁としてのみならず、そのまま地下構造物の構造体として利用できるようにし、施工性向上・工期短縮を図るようにしたものがある。
【０００３】
すなわち、ＰＣ中空杭の側面に取り付けられた埋込み鋼板に、構架材の端部が固定されるように、ＰＣ中空杭における構架材接合構造を構成する。ＰＣ中空杭は、構架材との接合部を補強する補強筋と、補強筋と埋込み鋼板とを連結するアンカー筋とを備え、さらに埋込み鋼板には構架材接合鋼板が固定され、構架材を構成するコンクリートによってこれらの鋼板を覆うようにしている（例えば、特許文献１参照）。
【先行技術文献】
【特許文献】
【０００４】
【特許文献１】特開平１１−３６３２７号公報（第３−４頁、図１−２）
【発明の概要】
【発明が解決しようとする課題】
【０００５】
このように、従来のＰＣ中空杭は、構架材との接合部を補強する補強筋と、補強筋と埋込み鋼板とを連結するアンカー筋とを備えているが、このような配筋構造は、構造が複雑で、配筋作業も容易でない。さらに、接続強度を確保するために配筋構造を簡略化することはできない。
【０００６】
本発明は、このような点に鑑みなされたもので、構造が簡単であってかつ構架材との十分な接続強度を確保できるプレストレストコンクリート構造体を提供することを目的とするものである。
【課題を解決するための手段】
【０００７】
請求項１記載の発明は、長尺に遠心力成形されたコンクリート成形部と、コンクリート成形部内の軸方向に配設されたプレストレストコンクリート用の緊張材と、コンクリート成形部の軸方向途中部の外周面に露出した状態でボックス状に埋込まれた構架材接続用の鋼管とを具備し、この鋼管の内側に、上記緊張材により軸方向のプレストレスをかけた状態でコンクリート成形部が遠心力成形されたプレストレストコンクリート構造体であり、そして、コンクリート成形部の外周面にボックス状に埋込まれた構架材接続用の鋼管によって、構架材との十分な接続強度を確保する。しかも、この構架材接続用の鋼管は、コンクリート成形部内に配設されたプレストレストコンクリート用の緊張材と関係なくコンクリート成形部の外周面に設置可能であり、複雑な配筋構造も必要としない。
【０００８】
請求項２記載の発明は、長尺に遠心力成形されたコンクリート成形部と、コンクリート成形部内の軸方向に配設されたプレストレストコンクリート用の緊張材と、コンクリート成形部の軸方向途中部の一側面およびこの一側面に対し反対側に位置する他側面に露出した状態で埋込まれた複数の構架材接続用の埋込みプレートと、緊張材を避けてコンクリート成形部内に配設され一側面および他側面の埋込みプレートの左右一端部間および他端部間を連結する２つの連結プレートとを具備し、これらの連結プレートは、上記緊張材に対して平行にかつ２つの連結プレート間が相互に平行に配置され、これらの連結プレートには、遠心力成形時に２つの連結プレート間に注入されたコンクリートを連結プレート間の外側にも供給するための穴が穿設されたプレストレストコンクリート構造体であり、そして、コンクリート成形部の一側面および他側面に露出した状態で埋込まれた構架材接続用の埋込みプレートの左右一端部間および他端部間を、コンクリート成形部内の連結プレートにより連結したボックス構造によって、構架材との十分な接続強度を確保する。しかも、一側および他側の構架材接続用の埋込みプレートの左右一端部間および他端部間を、プレストレストコンクリート用の緊張材を避けてコンクリート成形部内に配設された連結プレートにより連結した簡単な構造で、接続強度を確保する。
【発明の効果】
【０００９】
請求項１記載の発明によれば、緊張材により軸方向のプレストレスをかけた状態で遠心力成形されたコンクリート成形部の外周面にボックス状に埋込まれた構架材接続用の鋼管によって、構架材との十分な接続強度を確保できる。しかも、この構架材接続用の鋼管は、コンクリート成形部内に配設されたプレストレストコンクリート用の緊張材と関係なくコンクリート成形部の外周面に設置でき、複雑な配筋構造を防止できる。
【００１０】
請求項２記載の発明によれば、コンクリート成形部の一側面および他側面に露出した状態で埋込まれた構架材接続用の埋込みプレートの左右一端部間および他端部間を、コンクリート成形部内の連結プレートにより連結したボックス構造によって、構架材との十分な接続強度を確保できる。しかも、一側および他側の構架材接続用の埋込みプレートの左右一端部間および他端部間を、プレストレストコンクリート用の緊張材を避けてコンクリート成形部内に配設された連結プレートにより連結した簡単な構造で、接続強度を確保できる。さらに、遠心力成形時に両側の連結プレート間に注入されたコンクリートは、連結プレートに穿設された穴を経て連結プレートの外側にも供給され、この穴内で固化されたコンクリートは、コンクリート成形部内での連結プレートの固定を確実にし、連結プレートに作用する荷重を支えることができる。
【図面の簡単な説明】
【００１１】
【図１】本発明に係るプレストレストコンクリート構造体における構架材接続部分の第１の実施の形態を示す横断方向断面図である。
【図２】同上構造体の構架材接続部分の正面図である。
【図３】図１におけるIII−III線断面図である。
【図４】同上構造体を用いて施工した地下構造物を示す断面図である。
【図５】本発明に係るプレストレストコンクリート構造体における構架材接続部分の第２の実施の形態を示す横断方向断面図である。
【図６】同上構造体の構架材接続部分の正面図である。
【図７】図５におけるVII−VII線断面図である。
【発明を実施するための形態】
【００１２】
以下、本発明を、図１乃至図４に示された第１の実施の形態、図５乃至図７に示された第２の実施の形態を参照して、詳細に説明する。
【００１３】
先ず、図１乃至図４に示された第１の実施の形態を説明する。
【００１４】
図４は、地下道、地下鉄、地下貯水池などの地下構造物を示し、先ず、角形断面のプレストレストコンクリート構造体としてのプレストレストコンクリート壁体（以下、プレストレストコンクリートを「ＰＣ」という）11を連続的に地中に挿入して止水処理することで２列の連壁が形成され、これらの連壁の上端間に頂版12が現場打ちコンクリート、またはハーフプレキャストコンクリートと現場打ちコンクリートにより形成され、２列の連壁間を掘下げることで、この間に空間13が形成され、２列の連壁の比較的下部間に現場打ちコンクリート、またはハーフプレキャストコンクリートと現場打ちコンクリートにより構架材としての底版14が形成されている。
【００１５】
図１乃至図３は、プレストレストコンクリート構造体としてのＰＣ壁体11cを示し、遠心力成形法などで長尺に成形されたコンクリート成形部21の内部には、プレストレストコンクリート用の緊張材としてのＰＣ鋼材16が軸方向に配設され、コンクリート成形部21の軸方向途中部には、構架材接続用の角形の鋼管51がコンクリート成形部21の外周面に露出した状態でボックス状に埋込まれている。
【００１６】
この角形の鋼管51は、コンクリート成形部21の外形に沿って同様の形状に成形され、コンクリート成形部21の凹溝22と連続する凹溝22aを有している。
【００１７】
そして、コンクリート成形部21の外周面にボックス状に埋込まれた構架材接続用の角形の鋼管51において凹溝22aが設けられていない平面部52に、構架材としての底版14の鋼材を、接続ボルトまたは溶接付けにより接続することで、底版14との十分な接続強度を確保する。
【００１８】
しかも、この底版接続用の鋼管51は、コンクリート成形部21内に配設されたＰＣ鋼材16と関係なくコンクリート成形部21の外周面に設置するもので、複雑な配筋構造を必要としない。
【００１９】
次に、図５乃至図７に示された第２の実施の形態を説明する。
【００２０】
図５乃至図７は、プレストレストコンクリート構造体としてのＰＣ壁体11dを示し、遠心力成形法などで長尺に成形されたコンクリート成形部21の内部には、プレストレストコンクリート用の緊張材としてのＰＣ鋼材16が軸方向に配設され、コンクリート成形部21の軸方向途中部の一側面およびこの一側面に対し反対側に位置する他側面には、構架材接続用の埋込みプレート61がそれぞれ露出した状態で埋込まれている。
【００２１】
これらの一側面および他側面の埋込みプレート61は、それらの左右一端部間および他端部間を溶接された連結プレート62により連結されている。これらの連結プレート62は、ＰＣ鋼材16を避けてコンクリート成形部21内に配設されている。この連結プレート62には、図７に示されるように複数の穴63が穿設されている。
【００２２】
そして、遠心力成形時に両側の連結プレート62，62間に注入されたコンクリートは、穴63を経て連結プレート62の外側にも供給され、また、この穴63内で固化されたコンクリートは、コンクリート成形部21内での連結プレート62の固定を確実にし、連結プレート62に作用する荷重を支えることができる。
【００２３】
このように、コンクリート成形部21の一側面および他側面に露出した状態で埋込まれた構架材接続用の埋込みプレート61の左右一端部間および他端部間を、コンクリート成形部21内の連結プレート62により連結したボックス構造によって、十分な強度を有する構架材接続用の構造物を構成し、その埋込みプレート61に構架材としての底版14の鋼材を、接続ボルトまたは溶接付けにより接続することで、底版14との十分な接続強度を確保する。
【００２４】
しかも、一側および他側の底版接続用の埋込みプレート61の左右一端部間および他端部間を、ＰＣ鋼材16を避けてコンクリート成形部21内に配設された連結プレート62により連結した簡単な構造で、接続強度を確保できる。
【産業上の利用可能性】
【００２５】
本発明のプレストレストコンクリート構造体は、ＰＣ壁体11，11c，11dに限定されるものではなく、ＰＣ杭体またはＰＣ柱体にも利用できる。
【符号の説明】
【００２６】
14    構架材としての底版
16    緊張材としてのＰＣ鋼材
21    コンクリート成形部
51    鋼管
61    埋込みプレート
62    連結プレート
【図１】
0004954226.tif 000002
【図２】
0004954226.tif 000003
【図３】
0004954226.tif 000004
【図４】
0004954226.tif 000005
【図５】
0004954226.tif 000006
【図６】
0004954226.tif 000007
【図７】
0004954226.tif 000008